(57)【特許請求の範囲】
【請求項１】
レンズ鏡筒が着脱可能なマウントと、
電動での光学ズームが可能なレンズ鏡筒が装着された場合に、前記光学ズームを操作する本体側ズーム操作部と、
を備えたカメラ本体であって、
装着された前記レンズ鏡筒が、電動での光学ズームが可能か否かの情報および光学ズームを操作するレンズ側ズーム操作部を有しているか否かの情報を含むレンズ情報を前記レンズ鏡筒から取得し、
装着された前記レンズ鏡筒が、電動での光学ズームが可能でかつ光学ズームを操作するレンズ側ズーム操作部を有している場合には、操作時に前記本体側ズーム操作部および前記レンズ側ズーム操作部のどちらか一方のみを前記光学ズームのズーム操作部として機能させる制御部と、
を備えたことを特徴とするカメラ本体。
【請求項２】
ファインダとモニタとをさらに備え、
前記ファインダに接眼して撮影を行うファインダ撮影モードと、
前記ファインダに接眼せずに撮影するモニタ撮影モードとを有し、
前記制御部は、
前記ファインダ撮影モードで撮影する場合には、前記レンズ側ズーム操作部を前記光学ズームのズーム操作部として機能させ、
前記モニタ撮影モードで撮影する場合には、前記本体側ズーム操作部を前記光学ズームのズーム操作部として機能させることを特徴とする請求項１に記載のカメラ本体。
【請求項３】
前記ファインダ撮影モードおよび前記モニタ撮影モードのいずれか一方を選択する撮影モード選択部をさらに備えたことを特徴とする請求項２に記載のカメラ本体。
【請求項４】
前記ファインダ近傍に接眼検出部をさらに備え、前記接眼検出部の検出結果に応じて前記撮影モードを選択することを特徴とする請求項２に記載のカメラ本体。
【請求項５】
請求項１〜４のいずれか１項に記載のカメラ本体と、レンズ鏡筒を備えたことを特徴とするカメラシステム。
【発明の詳細な説明】
【技術分野】
【０００１】
本発明は、レンズ交換が可能なデジタル方式のカメラシステムおよびカメラ本体に関する。
【背景技術】
【０００２】
近年、被写体の光学的な像を電気的な画像信号に変換して出力可能なデジタル一眼レフカメラが、急速に普及している。このデジタル一眼レフカメラでは、ユーザーによるファインダを用いた被写体観察時には、撮影レンズに入射した光（すなわち被写体像）を、レンズの後の撮影用光路上に配置した反射ミラーで反射することにより光路を変更し、ペンタプリズムなどを通して正立像にして光学ファインダに導くことで、レンズを通した被写体像を光学ファインダから見ることができる。したがって通常は、ファインダ用光路を形成する位置が反射ミラーの定位置となっている。
【０００３】
一方、レンズを撮影用として使用する場合は、反射ミラーが瞬時に位置を変え、撮影用光路から退避することで、ファインダ用光路を撮影用光路に切り換え、撮影が終了すると定位置に瞬時に戻る。この方式は、一眼レフ方式であれば、従来の銀塩カメラでも、デジタルカメラでも同様である。
【０００４】
デジタルカメラの特徴の一つは、撮影時に表示装置（例えば、液晶モニタ）を見ながら撮影し、撮影後にすぐに撮影画像を確認できることが挙げられるが、これまでの一眼レフの反射ミラーの方式を用いると、撮影時に、液晶モニタを使用できないという課題があった。このように、液晶モニタを用いて撮影できないことにより、ファインダを覗いて撮影することになるため、とりわけ、デジタルカメラの撮影に不慣れな初心者にとっては、非常に使いにくくなっていた。また昨今は、静止画撮影のみならず、動画撮影などの機能も望まれている。動画撮影機能を搭載したデジタル一眼レフカメラにおいては、交換レンズの種類に応じて動画に対応するものあるいは対応しないものに大別することが予測される。動画に対応する交換レンズとは、例えばフォーカスやズームの駆動時に音が静かで動画撮影時にマイクにその音が記録されない工夫をしているものが考えられる。一方、動画に対応しない交換レンズとは、例えばフォーカスやズームの駆動時に音が大きく動画撮影時にマイクにその音が記録されてしまうものが考えられる。さらに、動画撮影に対応する交換レンズのなかでも、ズームレンズ系をモータにより駆動する電動ズームを搭載するものが考えられる。
【０００５】
特許文献１には、交換レンズ式のデジタル一眼レフカメラにおいて、液晶モニタを見ながら撮影できる構成について開示されている。
【０００６】
特許文献２には、交換レンズ式のデジタル一眼レフカメラにおいて、動画を表示部に表示する構成について開示されている。
【特許文献１】特開２００１−１２５１７３号公報
【特許文献２】特開２００５−３１１６９５号公報
【発明の開示】
【発明が解決しようとする課題】
【０００７】
交換レンズ式の一眼レフカメラに電動ズーム機能を搭載した交換レンズを装着した場合には、本体側が有するズーム操作レバーでズーム操作するのが一般的である。しかしながら、電動ズーム機能を搭載した交換レンズには、交換レンズ側にズーム操作レバーを有するものが考えられ、このような交換レンズをズーム操作レバーを有するカメラ本体と接続した場合に、ズーム操作レバーが競合し、システムが破綻するという問題がある。また、デジタル一眼レフカメラにおいては、液晶モニタを見ながら撮影する場合と、ファインダを覗いて撮影する場合の２つのケースがあるが、それぞれのケースにふさわしいズーム操作を行う必要があるという別の問題もある。
【０００８】
しかしながら、これらの問題については上記特許文献１および特許文献２に何等の開示もされていない。
【０００９】
本発明は上記の課題を解決するためになされたものであり、電動ズーム機能が搭載され、ズーム操作レバーを有する交換レンズユニットを、ズーム操作レバーを有するカメラ本体に接続した場合に、システム破綻することのないカメラシステムおよびカメラ本体を提供することを目的とする。また、他の発明は、電動ズーム機能が搭載され、ズーム操作レバーを有する交換レンズユニットを、ズーム操作レバーを有するカメラ本体に接続した場合に、ズーム操作の利便性を向上させることが可能なカメラシステムおよびカメラ本体を提供することを目的とする。
【課題を解決するための手段】
【００１０】
上記課題を解決するために、第１の発明に係るカメラ本体は、レンズ鏡筒が着脱可能なマウントと、電動での光学ズームが可能なレンズ鏡筒が装着された場合に、光学ズームを操作する本体側ズーム操作部とを備えたカメラ本体であって、装着されたレンズ鏡筒が、電動での光学ズームが可能か否かの情報および光学ズームを操作するレンズ側ズーム操作部を有しているか否かの情報を含むレンズ情報をレンズ鏡筒から取得し、装着されたレンズ鏡筒が、電動での光学ズームが可能でかつ光学ズームを操作するレンズ側ズーム操作部を有している場合に、本体側ズーム操作部およびレンズ側ズーム操作部のどちらか一方を光学ズームのズーム操作部として機能させる制御部とを備えたことを特徴とする。
【００１１】
これにより、光学ズームを操作するズーム操作部がカメラ本体および装着されたレンズ鏡筒の両方に備わっている場合でも、いずれか一方のズーム操作部のみを機能させるのでシステムの競合が回避できズーム操作の利便性を向上させることができる。
【００１２】
第２の発明に係るカメラ本体は、第１の発明に係るカメラ本体において、ファインダとモニタとをさらに備え、ファインダに接眼して撮影を行うファインダ撮影モードと、ファインダに接眼せずに撮影するモニタ撮影モードとを有し、制御部は、ファインダ撮影モードで撮影する場合には、レンズ側ズーム操作部を光学ズームのズーム操作部として機能させ、モニタ撮影モードで撮影する場合には、本体側ズーム操作部を光学ズームのズーム操作部として機能させることを特徴とする。
【００１３】
これにより、カメラ本体のホールドのしやすさとズーム操作のしやすさを両立させることによりユーザーの撮影姿勢に適したズーム操作が可能となる。
【００１４】
第３の発明に係るカメラ本体は、第２の発明に係るカメラ本体において、ファインダ撮影モードおよびモニタ撮影モードのいずれか一方を選択する撮影モード選択部をさらに備えたことを特徴とする。
【００１５】
これにより、ユーザーが撮影状況に応じて撮影モードを簡単に選択できる。
【００１６】
第４の発明に係るカメラ本体は、第２の発明に係るカメラ本体において、ファインダ近傍に接眼検出部をさらに備え、接眼検出部の検出結果に応じて撮影モードを選択することを特徴とする。
【００１７】
これにより、ユーザーが撮影モードを手動で選択する必要がないので、モニタ撮影モードで撮影していて急にファインダ撮影モードに切り換えたい場合にも迅速な切換が可能となる。
【００１８】
第５の発明に係るカメラシステムは、第１〜第４のいずれかの発明に係るカメラ本体と、レンズ鏡筒を備えたことを特徴とする。
【００１９】
これにより、光学ズームを操作するズーム操作部がカメラ本体および装着されたレンズ鏡筒の両方に備わっている場合でも、システムの競合が回避できズーム操作の利便性を向上させるカメラシステムを提供できる。
【発明の効果】
【００２０】
本発明によれば、電動ズーム機能が搭載され、ズーム操作レバーを有する交換レンズユニットを、ズーム操作レバーを有するカメラ本体に接続した場合に、システム破綻することのないカメラシステムおよびカメラ本体を提供することができる。また、他の発明によれば、電動ズーム機能が搭載され、ズーム操作レバーを有する交換レンズユニットを、ズーム操作レバーを有するカメラ本体に接続した場合に、ズーム操作の利便性を向上させることが可能なカメラシステムおよびカメラ本体を提供することができる。
【発明を実施するための最良の形態】
【００２１】
以下、本発明の実施の形態について図面を参照しながら、詳細に説明する。
【００２２】
〔第１実施形態〕
＜１：カメラシステムの全体構成＞
図１〜図３を用いて第１実施形態に係るカメラシステム１の全体構成について説明する。図１にカメラシステム１のブロック図を示す。図２にカメラ本体３のブロック図を示す。図３にカメラ本体３の概略構成図を示す。
【００２３】
図１に示すように、カメラシステム１は、交換レンズ式のデジタル一眼レフカメラシステムであり、主に、カメラシステム１の主要な機能を有するカメラ本体３と、カメラ本体３に取り外し可能に装着された交換レンズユニット（レンズ鏡筒）２とから構成されている。交換レンズユニット２は、レンズマウント７９を介して、カメラ本体３の前面に設けられたボディーマウント４に装着されている。
【００２４】
（１．１：カメラ本体）
図１および図２に示すように、カメラ本体３は主に、被写体を撮像する撮像部７１と、撮像部７１などの各部の動作を制御する本体制御部としてのボディーマイコン（制御部）１０と、撮影された画像や各種情報を表示する画像表示部７２と、画像データを格納する画像格納部７３と、被写体像を視認するファインダ光学系２２とから構成されている。
【００２５】
撮像部７１は主に、入射光をファインダ光学系２２および焦点検出ユニット５に導くクイックリターンミラー２３と、光電変換を行うＣＣＤ（Charge Coupled Device）などの撮像センサ１１と、撮像センサ１１の露光状態を調節するシャッターユニット３３と、ボディーマイコン１０からの制御信号に基づいてシャッターユニット３３の駆動を制御するシャッター制御部３１と、撮像センサ１１の動作を制御する撮像センサ駆動制御部１２と、焦点（被写体像の合焦状態）を検出する焦点検出ユニット５とから構成されている。焦点検出ユニット５は、例えば一般的な位相差検出方式によって焦点検出を行う。なお、焦点検出方式については、カメラシステム１の使用状況により、上記の焦点検出ユニット５を使用する位相差検出方式と、撮像センサ１１から出力される画像信号に基づくコントラスト検出方式とのいずれかが用いられる。コントラスト検出方式の場合、ボディーマイコン１０によりコントラスト値が求められ焦点が検出される。すなわち、ボディーマイコン１０がコントラスト検出部を含んでいると言える。この焦点検出結果は後述のレンズマイコン４０に送信され、第２レンズ群（以下、「フォーカスレンズ群」ともいう）Ｌ２の駆動に用いられる。
【００２６】
撮像センサ１１は、撮像光学系Ｌにより形成される光学的な像を電気的な信号に変換する、例えばＣＣＤ（Charge Coupled Device）センサである。撮像センサ１１は、撮像センサ駆動制御部１２により発生されるタイミング信号により駆動制御される。なお、撮像センサ１１はＣＭＯＳ（Complementary Metal Oxide Semiconductor）センサでもよい。
【００２７】
ボディーマイコン１０は、カメラ本体３の中枢を司る制御装置であり、各種シーケンスをコントロールする。具体的には、ボディーマイコン１０にはＣＰＵ、ＲＯＭ、ＲＡＭが搭載されており、ＲＯＭに格納されたプログラムがＣＰＵに読み込まれることで、ボディーマイコン１０は様々な機能を実現することができる。例えば、ボディーマイコン１０は、交換レンズユニット２がカメラ本体３に装着されたことを検知する機能、あるいは交換レンズユニット２から焦点距離情報などのカメラシステム１を制御する上で不可欠な情報を取得し交換レンズユニット２の動作を制御する機能などを有している。さらに、ボディーマイコン１０は、交換レンズユニット２が電動ズームに対応しているか否か、電動ズームに対応している場合には交換レンズユニット２がズーム操作レバーを有しているか否かの情報を交換レンズユニット２から取得する機能を有している。さらには、交換レンズユニット２が動画撮影に対応しているか否かを判断する機能、撮像センサ駆動制御部１２を介して撮像センサ１１の動作を静止画撮影モードおよび動画撮影モードに設定する機能を有していてもよい。図１に示すように、ボディーマイコン１０はカメラ本体３に設けられた各部と接続されている。
【００２８】
また、ボディーマイコン１０は、図３に示す電源スイッチ２５、レリーズボタン３０、ズーム操作レバー（Ｂ）（本体側ズーム操作部）３９、モード切換ダイアル２６、十字操作キー２７、ＭＥＮＵ設定ボタン２８およびＳＥＴボタン２９、ファインダ切換ボタン（撮影モード選択部）３４、動画撮影操作ボタン３５の信号を、それぞれ受信可能である。ボディーマイコン１０は、本体制御部の一例である。
【００２９】
さらに、図２に示すように、ボディーマイコン１０内のメモリ３８には、カメラ本体３に関する各種情報（本体情報）が格納されている。この本体情報には、例えば、カメラ本体３の製造会社名、製造年月日、型番、ボディーマイコン１０にインストールされているソフトのバージョン、およびファームアップに関する情報などのカメラ本体３を特定するための型式に関する情報（カメラ特定情報）などが含まれている。なお、メモリ３８は、レンズマイコン４０から送信された情報を格納可能である。
【００３０】
ボディーマイコン１０は、レリーズボタン３０などの操作に応じて、撮像センサ１１などのカメラシステム全体を制御する。ボディーマイコン１０は、垂直同期信号をタイミング発生器に送信する。これと並行して、ボディーマイコン１０は、垂直同期信号に基づいて、露光同期信号を生成する。ボディーマイコン１０は、生成した露光同期信号を、ボディーマウント４およびレンズマウント７９を介して、レンズマイコン４０に周期的に繰り返して送信する。
【００３１】
また、ボディーマイコン１０は、ズーム操作レバー（Ｂ）３９の操作に基づくズーム操作信号をボディーマウント４およびレンズマウント７９を介して、レンズマイコン４０に送信し、レンズマイコン４０からズームレンズ駆動制御部６１に指令を送ることで交換レンズユニット２の第１レンズ群（以下、「ズームレンズ群」ともいう）Ｌ１を望遠側あるいは広角側に移動させる。
【００３２】
ボディーマウント４は、交換レンズユニット２のレンズマウント７９と機械的および電気的に接続可能である。ボディーマウント４は、レンズマウント７９を介して、交換レンズユニット２との間で、データを送受信可能である。例えば、ボディーマウント４は、ボディーマイコン１０から受信した露光同期信号を、レンズマウント７９を介してレンズマイコン４０に送信する。また、ボディーマウント４は、ボディーマイコン１０から受信したその他の制御信号を、レンズマウント７９を介してレンズマイコン４０に送信する。また、ボディーマウント４は、レンズマウント７９を介してレンズマイコン４０から受信した信号をボディーマイコン１０に送信する。また、ボディーマウント４は、電源ユニット（図示せず）から供給された電力を、レンズマウント７９を介して交換レンズユニット２全体に供給する。
【００３３】
図３に示すように、カメラ本体３の筐体３ａは、被写体を撮影する際にユーザーによって支持される。筐体３ａの背面には、表示部２０と、電源スイッチ２５と、モード切換ダイアル２６と、十字操作キー２７と、ＭＥＮＵ設定ボタン２８と、ＳＥＴボタン２９と、ファインダ切換ボタン３４と、動画撮影操作ボタン３５と、が設けられている。
【００３４】
電源スイッチ２５は、カメラシステム１あるいはカメラ本体３の電源の入切を行うためのスイッチである。電源スイッチ２５により電源がＯＮ状態になると、カメラ本体３および交換レンズユニット２の各部に電源が供給される。モード切換ダイアル２６は、静止画撮影モード、動画撮影モードおよび再生モードを切り換えるためのダイアルであり、ユーザーはモード切換ダイアル２６を回転させてモードを切り換えることができる。モード切換ダイアル２６により静止画撮影モードが選択されると、撮影モードを静止画撮影モードへ切り換えることができ、モード切換ダイアル２６により動画撮影モードが選択されると、撮影モードを動画撮影モードへ切り換えることができる。動画撮影モードでは、基本的に動画撮影が可能となる。さらに、モード切換ダイアル２６により再生モードが選択されると、モードを再生モードへ切り換えることができ、表示部２０に撮影画像を表示させることができる。
【００３５】
ＭＥＮＵ設定ボタン２８は、カメラシステム１の各種動作を設定するためのボタンである。十字操作キー２７は、ユーザーが上下左右の部位を押圧して、表示部２０に表示された各種メニュー画面から所望のメニューを選択するための操作部材である。ＳＥＴボタン２９は、各種メニューの実行を確定するためのボタンである。ファインダ切換ボタン３４は、ファインダ撮影モードとモニタ撮影モードとを切り換えるボタンである。動画撮影操作ボタン３５は、動画撮影の開始および停止を指示するボタンであり、モード切換ダイアル２６において設定された撮影モードが静止画撮影モードまたは再生モードであっても、この動画撮影操作ボタン３５を押すことにより、モード切換ダイアル２６での設定内容に関係なく、強制的に動画撮影モードが開始される。さらに、動画撮影モードにおいて、この動画撮影操作ボタン３５を押すことにより、動画撮影が終了し、静止画撮影モード、あるいは再生モードへと移行する。
【００３６】
図３（ｂ）に示すように、筐体３ａの上面にはレリーズボタン３０が設けられている。レリーズボタン３０が操作されると、タイミング信号がボディーマイコン１０に出力される。レリーズボタン３０は、半押し操作および全押し操作が可能な２段式のスイッチであり、ユーザーがレリーズボタン３０を半押し操作すると測光処理および測距処理を開始する。また、この半押し操作により、ボディーマイコン１０およびレンズマイコン４０をはじめとする各部に電力が供給される。続いてユーザーがレリーズボタン３０を全押し操作するとボディーマイコン１０へタイミング信号が出力される。シャッター制御部３１は、タイミング信号を受信したボディーマイコン１０から出力される制御信号に従って、シャッター駆動モータ３２を駆動し、シャッターユニット３３を動作させる。
【００３７】
また、図３（ａ）に示すように、筐体３ａの上面にはズーム操作レバー（Ｂ）３９が設けられている。ズーム操作レバー（Ｂ）３９が、右方向（図３（ａ）における“Ｔ”方向）に操作されると、ボディーマイコン１０は、ズーム操作レバー（Ｂ）３９の操作に基づきズーム操作信号をボディーマウント４およびレンズマウント７９を介して、レンズマイコン４０に送信する。ズーム操作信号を受信したレンズマイコン４０はズームレンズ駆動制御部６１に指令を送ることで交換レンズユニット２のズームレンズ群Ｌ１を望遠側に移動させる。一方、ズーム操作レバー（Ｂ）３９が、左方向（図３（ａ）における“Ｗ”方向）に操作されると、ボディーマイコン１０は、ズーム操作レバー（Ｂ）３９の操作に基づきズーム操作信号をボディーマウント４およびレンズマウント７９を介して、レンズマイコン４０に送信する。ズーム操作信号を受信したレンズマイコン４０はズームレンズ駆動制御部６１に指令を送ることで交換レンズユニット２のズームレンズ群Ｌ１を広角側に移動させる。
【００３８】
図２に示すように、静止画撮影モードでは、レリーズボタン３０の操作によるタイミング信号を受信したボディーマイコン１０は、ストロボ制御部４７に制御信号を出力する。そしてストロボ制御部４７は、制御信号に基づいてＬＥＤなどにて構成されるストロボ４８を発光させる。ストロボ４８は、撮像センサ１１が受光する光量に応じて制御される。すなわち、ストロボ制御部４７は、撮像センサ１１からの画像信号の出力が一定値以下の場合にはシャッター動作と連動して自動的に発光させる。一方、画像信号の出力が一定値以上の場合には、ストロボ制御部４７はストロボ４８を発光させないように制御する。
【００３９】
ストロボスイッチ４９は、上述の撮像センサ１１の出力に関係なくストロボ４８の動作を設定するための操作部である。すなわち、ストロボ制御部４７は、ストロボスイッチ４９が「入」の場合にはストロボ４８を発光させ、「切」の場合にはストロボ４８を発光させない。
【００４０】
また、動画撮影モードでは、レリーズボタン３０、あるいは動画撮影操作ボタン３５の操作により、ＬＥＤなどにて構成されるストロボ４８は、ビデオライトとしての機能を果たし、動画撮影中は被写体に向けて、光を照射する。
【００４１】
撮像センサ１１から出力された画像信号（静止画、あるいは動画）は、アナログ信号処理部１３から、Ａ／Ｄ変換部１４、デジタル信号処理部１５、バッファメモリ１６、画像圧縮部１７へと、順次送られて処理される。アナログ信号処理部１３は、撮像センサ１１から出力される画像信号にガンマ処理などのアナログ信号処理を施す。Ａ／Ｄ変換部１４は、アナログ信号処理部１３から出力されたアナログ信号をデジタル信号に変換する。デジタル信号処理部１５は、Ａ／Ｄ変換部１４によりデジタル信号に変換された画像信号に対してノイズ除去や輪郭強調などのデジタル信号処理を施す。バッファメモリ１６は、ＲＡＭであり、画像信号を一旦記憶する。
【００４２】
バッファメモリ１６に記憶された画像信号は、画像圧縮部１７から画像記録部１８へと、順次送られて処理される。バッファメモリ１６に記憶された画像信号は、画像記録制御部１９の指令により読み出されて、画像圧縮部１７に送信される。画像圧縮部１７に送信された画像信号のデータは、画像記録制御部１９の指令に従って圧縮処理される。画像信号は、この圧縮処理により、元のデータより小さなデータサイズになる。圧縮方式として、静止画の場合には、例えばＪＰＥＧ（Joint Photographic Experts Group）方式が用いられる。また、動画の場合には、例えば、ＭＰＥＧ（Moving Picture Experts Group）方式が用いられる。圧縮された画像信号は、画像記録制御部１９により画像記録部１８に記録される。
【００４３】
画像記録部１８は、画像記録制御部１９の指令に基づいて、画像信号と記録すべき所定の情報とを関連付けて記録する、例えば内部メモリおよび／または着脱可能なリムーバブルメモリである。なお、画像信号とともに記録すべき所定の情報には、画像を撮影した際の日時と、焦点距離情報と、シャッタースピード情報と、絞り値情報と、撮影モード情報などとが含まれる。これらの情報の形式は、例えばＥｘｉｆ（登録商標）形式やＥｘｉｆ（登録商標）形式に類する形式などである。
【００４４】
表示部２０は、例えば液晶モニタであり、画像表示制御部２１からの指令に基づいて、画像記録部１８あるいはバッファメモリ１６に記録された画像信号を可視画像として表示する。ここで表示部２０の表示形態としては、画像信号のみを可視画像として表示する表示形態と、画像信号と撮影時の情報とを可視画像として表示する表示形態とがある。なお、表示部２０は、カメラ本体３の筐体３ａに対して、自由に角度を変更できる角度可変型のモニタであってもよい。
【００４５】
図１に示すように、クイックリターンミラー２３は、入射光を反射および透過可能なメインミラー２３ａと、メインミラー２３ａの背面側に設けられメインミラー２３ａからの透過光を反射するサブミラー２３ｂとから構成されており、クイックリターンミラー制御部３６により光軸ＡＺ外に跳ね上げが可能である。入射光は、メインミラー２３ａにより２つの光束に分割され、反射光束はファインダ光学系２２へ導かれる。一方、透過光束は、サブミラー２３ｂで反射されて、焦点検出ユニット５のＡＦ用光束として利用される。通常の撮影時には、クイックリターンミラー制御部３６により、クイックリターンミラー２３が光軸ＡＺ外に跳ね上げられるとともに、シャッターユニット３３が開かれて撮像センサ１１の撮像面上に被写体像が結像される。また非撮影時には、図１に示すようにクイックリターンミラー２３が光軸ＡＺ上に配置されるとともに、シャッターユニット３３は閉状態とされる。
【００４６】
ファインダ光学系２２は、被写体像が結像されるファインダスクリーン６と、被写体像を正立像に変換するペンタプリズム７と、被写体の正立像をファインダ接眼窓９に導く接眼レンズ８と、ユーザーが被写体像を観察するファインダ接眼窓９とから構成されている。
【００４７】
（１．２：交換レンズユニット）
図１に示すように、交換レンズユニット２は主に、カメラシステム１内の撮像センサ１１に被写体像を結ぶための撮像光学系Ｌと、撮影倍率を変更するズームレンズ駆動制御部６１と、フォーカシングを行うフォーカスレンズ群駆動制御部４１と、絞りを調節する絞り駆動制御部４２と、交換レンズユニット２の動作を制御するレンズ制御部としてのレンズマイコン４０とから構成されている。
【００４８】
ズームレンズ駆動制御部６１は、撮影倍率を望遠側あるいは広角側に調整する第１レンズ群Ｌ１を駆動制御する。フォーカスレンズ群駆動制御部４１は主に、フォーカスを調節する後述の第２レンズ群Ｌ２を駆動制御する。絞り駆動制御部４２は、主に絞りまたは開放を調節する絞り部４３を駆動制御する。
【００４９】
レンズマイコン４０は、交換レンズユニット２の中枢を司る制御装置であり、交換レンズユニット２に搭載された各部に接続されている。具体的には、レンズマイコン４０には、ＣＰＵ、ＲＯＭ、ＲＡＭが搭載されており、ＲＯＭに格納されたプログラムがＣＰＵに読み込まれることで、様々な機能を実現することができる。また、レンズマウント７９に設けられた電気切片（図示せず）を介してボディーマイコン１０およびレンズマイコン４０は電気的に接続されており、互いに情報の送受信が可能となっている。
【００５０】
また、交換レンズユニット２には、ズーム操作レバー（Ａ）（レンズ側ズーム操作部）６４と、ズーム操作レバー（Ａ）検出部６５を有している。ズーム操作レバー（Ａ）６４は後述するように、そのレバーを操作することにより撮影倍率を望遠側あるいは広角側に調整するレバーである。ズーム操作レバー（Ａ）６４が操作することにより、ズーム操作レバー（Ａ）検出部６５にて望遠側あるいは広角側に操作されたことを検出して、レンズマイコン４０にその操作情報を伝達する。レンズマイコン４０は、その操作情報からズーム操作レバー（Ａ）６４が望遠側に操作されていると判断した場合には、ズームレンズ駆動制御部６１を介してズームレンズ群Ｌ１を望遠側に移動制御させる。一方、レンズマイコン４０は、その操作情報からズーム操作レバー（Ａ）６４が広角側に操作されていると判断した場合には、ズームレンズ駆動制御部６１を介してズームレンズ群Ｌ１を広角側に移動制御させる。
【００５１】
また、レンズマイコン４０内のメモリ４４には、交換レンズユニット２に関する各種情報（レンズ情報）が格納されている。この各種情報の具体的な内容については後述する。このメモリ４４に記憶されている各種情報については、撮影時に使用するために、交換レンズユニット２がカメラ本体３に取り付けられた際に、カメラ本体３側に送られる。
【００５２】
（１．３：交換レンズユニットに関する情報）
ここで、交換レンズユニット２に関する情報について説明する。レンズマイコン４０内のメモリ４４には、交換レンズユニット２に関する各種情報（レンズ情報）が格納されている。具体的には、交換レンズユニット２の焦点距離の最大値と最小値（焦点距離可変範囲）を示す焦点距離情報、あるいは物点距離情報などがメモリ４４に格納されている。
【００５３】
さらに、メモリ４４には、交換レンズユニット２が先述した動画撮影に対応しているか否かに関する情報が格納されている。この情報は、メモリ４４内の所定のアドレス（例えば、通常使用されていない予備のアドレスなど）に記録されている。
【００５４】
交換レンズユニット２が動画撮影に対応しているかは、例えば、フォーカスレンズ群としての第２レンズ群Ｌ２がウォブリング（微小往復振動）可能であるか否かで判断してもよい。第２レンズ群Ｌ２がガイドポールにより支持されており、超音波アクチュエータなどにより第２レンズ群Ｌ２がダイレクトに駆動される構成であれば、ウォブリング可能と判断できる。したがって、交換レンズユニット２が動画撮影に対応しているか否かに関する情報として、第２レンズ群Ｌ２の駆動方式でもよい。
【００５５】
さらには、フォーカスレンズ群をウォブリングさせた際に、撮像センサ１１上での像の倍率変化量が所定値以下であるという構成も動画撮影に対応しているか否かの判断基準としてもよい。
【００５６】
また、動画撮影に対応できるということは、交換レンズユニット２がコントラスト検出方式に対応していることを意味している。したがって、交換レンズユニット２が動画撮影に対応しているか否かに関する情報として、コントラスト検出方式に対応可能かどうかという内容の情報を使ってもよい。
【００５７】
さらには、電動ズームに対応しているか否かに関する情報、ズーム操作レバーを有しているか否かに関する情報もメモリ４４内に記憶されている。電動ズームに対応している場合とは、ズームレンズ駆動制御部６１によりズームレンズ群Ｌ１が移動制御される構成になっている場合である。ズームレンズ群Ｌ１はステッピングモータ、ＤＣモータ、電磁リニアモータ、超音波モータなどで駆動される。ズームレンズ駆動制御部６１はこれらのアクチュエータとアクチュエータに電力を供給して速度あるいは位置制御を行う回路で構成される。また、ズーム操作レバーとは、ズーム操作レバーの操作状態を検出して、先に説明したようにアクチュエータを用いてズームレンズ群Ｌ１の移動制御を電気的に行うことができるレバーのことをいう。
【００５８】
これらの情報が交換レンズユニット２内に記憶されている場合には、カメラ本体３に取り付けられた際に、カメラ本体３側のボディーマイコン１０により、動画撮影が可能であるか否かが判断され、また、電動ズームに対応しているか否か、ズーム操作レバーを有しているか否かが判断される。また、超音波アクチュエータなどのフォーカスレンズ群駆動用アクチュエータの性能により、フォーカス速度、最小分解能などを個別に記憶し、カメラ本体３との組み合わせにより、最適なフォーカス性能を設定するようにしてもよい。例えば、そのフォーカス性能に合わせて、カメラシステム１として、動画撮影時のフレームレート（３０ｆｐｓ、６０ｆｐｓなど）、記録画素数などを自動的に設定するなどである。
【００５９】
なお、これらの情報は、交換レンズユニット２がカメラ本体３に取り付けられた際に、レンズマイコン４０からボディーマイコン１０へ送信される。これにより、ボディーマイコン１０は交換レンズユニット２の各種情報を把握することができる。
【００６０】
＜２：カメラシステムの動作＞
以下、上述のように構成されたカメラシステム１の撮影動作を説明する。
【００６１】
図４および図５は、第１実施形態に係るカメラシステム１での撮像時の概念図であり、図４はファインダ撮影モードを説明する図、図５はモニタ撮影モードを説明する図である。
【００６２】
（２．１：撮像前の状態）
図４および図５に示すように、被写体（図示せず）からの光は、交換レンズユニット２を透過し、半透過ミラーであるメインミラー２３ａに入射する。メインミラー２３ａに入射した光の一部は反射してファインダスクリーン６に入射し、残りの光は透過してサブミラー２３ｂに入射する。ファインダスクリーン６に入射した光は被写体像として結像する。この被写体像は、ペンタプリズム７によって正立像に変換され接眼レンズ８に入射する。これにより、ユーザーは、ファインダ接眼窓９を介して被写体の正立像を観察できる。また、サブミラー２３ｂに入射した光は反射され、焦点検出ユニット５に入射する。
【００６３】
（２．２：ファインダ撮影モードおよびモニタ撮影モード）
このカメラシステム１は、２つの撮影モード、すなわちファインダ撮影モードおよびモニタ撮影モードを有する。ファインダ撮影モードは、ユーザーがファインダ接眼窓９を観察しながら撮影するモードであり、従来の一眼レフカメラにおける通常の撮影モードである。モニタ撮影モードは、液晶モニタなどの表示部２０をユーザーが観察しながら撮影するモードである。
【００６４】
ファインダ撮影モードにおいては、図４に示すように、クイックリターンミラー２３は、光軸ＡＺ内の所定位置に配置されており、被写体光は、ファインダ光学系２２に導かれるので、ユーザーは、ファインダ接眼窓９から被写体像を観察することができる。実際の撮影時には、クイックリターンミラー２３が光軸ＡＺ外に跳ね上げられるとともに、シャッターユニット３３が開かれて撮像センサ１１の撮像面上に被写体像が結像される。
【００６５】
一方、モニタ撮影モードにおいては、図５に示すように、クイックリターンミラー２３を光軸ＡＺ内から退避させる。これにより、表示部２０には、撮像センサ１１を介して被写体の画像、いわゆるスルー画像が表示される。
【００６６】
（２．３：ファインダ撮影モードの動作）
カメラシステム１の撮影動作について説明する。図１〜図４を用いて、ユーザーがファインダ接眼窓９を覗いて撮影するファインダ撮影モードにおける駆動シーケンスについて説明する。
【００６７】
ファインダ撮影モードにおいて撮影する場合、ユーザーは、筐体３ａの背面に設けられたファインダ切換ボタン３４を操作して、撮影モードとしてファインダ撮影モードを選択する。
【００６８】
ユーザーのレリーズボタン３０の半押し動作により、カメラシステム１内のボディーマイコン１０および各種ユニットには、電源が供給される。電源供給により起動するカメラシステム１内のボディーマイコン１０は、同じく電源供給で起動する交換レンズユニット２内のレンズマイコン４０より、レンズマウント７９およびボディーマウント４を介して、各種レンズデータを受け取り、内蔵するメモリ３８に保存する。次に、ボディーマイコン１０は、焦点検出ユニット５より、焦点ずれ量（以後、「Ｄｆ量」という）を取得し、そのＤｆ量分、フォーカスレンズ群Ｌ２を駆動するようにレンズマイコン４０に指示する。レンズマイコン４０は、フォーカスレンズ群駆動制御部４１をコントロールして、Ｄｆ量分だけ第２レンズ群Ｌ２を動作させる。このように、焦点検出と第２レンズ群Ｌ２の駆動とを繰り返すうち、Ｄｆ量は小さくなり、所定量以下になったときにボディーマイコン１０により合焦と判断され、第２レンズ群Ｌ２の駆動が停止される。
【００６９】
この後、ボディーマイコン１０は、ユーザーによりレリーズボタン３０が全押しされると、レンズマイコン４０に対して、絞り値を測光センサ（図示せず）からの出力に基づいて計算された絞り値にするよう指示する。そして、レンズマイコン４０は、絞り駆動制御部４２をコントロールし、指示された絞り値まで、絞りを絞り込む。絞り値の指示と同時にボディーマイコン１０は、クイックリターンミラー制御部３６により、クイックリターンミラー２３を光軸ＡＺ内から退避させる。クイックリターンミラー２３の退避完了後、撮像センサ駆動制御部１２は、撮像センサ１１の駆動を指示し、シャッターユニット３３の動作を指示する。なお、撮像センサ駆動制御部１２は、測光センサからの出力に基づいて計算されたシャッタースピードの時間だけ、撮像センサ１１を露光する。
【００７０】
露光完了後、撮像センサ駆動制御部１２により撮像センサ１１から読み出された画像データは、所定の画像処理を実行された後、表示部２０に撮影画像として表示される。また、撮像センサ１１から読み出され、所定の画像処理が実行された画像データは、画像記録部１８を介して、記憶媒体に画像データとして書き込まれる。また、露光終了後、クイックリターンミラー２３とシャッターユニット３３とは、初期位置にリセットされる。ボディーマイコン１０は、レンズマイコン４０へ、絞りを開放位置にリセットするよう指示し、レンズマイコン４０は、各ユニットに対してリセット命令を行う。リセット完了後、レンズマイコン４０は、ボディーマイコン１０にリセット完了を伝える。ボディーマイコン１０は、レンズマイコン４０からのリセット完了情報と露光後の一連処理の完了を待ち、その後、レリーズボタン３０の状態が、押し込みされていない状態であることを確認し、撮影シーケンスを終了させる。
【００７１】
（２．４：モニタ撮影モードの動作）
次に、図１〜図３および図５を用いて、ユーザーが表示部２０を用いて撮影するモニタ撮影モードにおける駆動シーケンスについて説明する。
【００７２】
表示部２０を用いて撮影する場合、ユーザーは、ファインダ切換ボタン３４を操作して、モニタ撮影モードを選択する。モニタ撮影モードに設定されると、ボディーマイコン１０は、クイックリターンミラー２３を光軸ＡＺ内から退避させる。これにより、被写体からの光が撮像センサ１１に達する。撮像センサ１１は、撮像センサ１１上に結像される被写体からの光を画像データに変換し、画像データとして取得し、出力することができる。撮像センサ駆動制御部１２により撮像センサ１１から読み出された画像データは、所定の画像処理が実行された後、表示部２０に撮影画像として表示される。このように、撮影画像を表示部２０に表示させることにより、ユーザーは、ファインダ接眼窓９を覗くことなく、被写体を追いかけることが可能となる。
【００７３】
また、このモニタ撮影モードについては、モード切換ダイアル２６により、動画撮影モードが選択された場合には、自動的にモニタ撮影モードへと移行する。さらに、動画撮影操作ボタン３５が押された場合にも、自動的にモニタ撮影モードへと移行する。さらには、ＬＣＤモニタなどの表示部２０が開閉式になっているカメラでは、ユーザーが表示部２０を開いた場合に自動的にモニタ撮影モードへ移行するようにしてもよい。
【００７４】
このモニタ撮影モードにおいては、その合焦方法として、焦点検出ユニット５を用いた位相差検出方式に代わり、撮像センサ１１で生成された画像データに基づいて、コントラスト方式のオートフォーカスが用いられる。表示部２０を用いたモニタ撮影モードにおけるオートフォーカス動作の方式としては、コントラスト方式を用いることにより、カメラシステムとして、精度の良いフォーカス動作を実現することができる。このモニタ撮影モードでは、定常的に、撮像センサ１１で画像データを生成しているので、従来の位相差検出方式に比べ、その画像データを用いたコントラスト方式のオートフォーカス動作をするのが容易である。
【００７５】
ここで、コントラスト方式を用いたオートフォーカス動作について説明する。
【００７６】
コントラスト方式のオートフォーカス動作を行う際には、ボディーマイコン１０は、レンズマイコン４０に対して、コントラストＡＦ用データを要求する。コントラストＡＦ用データは、コントラスト方式のオートフォーカス動作の際に必要なデータであり、例えば、フォーカス駆動速度、フォーカスシフト量、像倍率、コントラストＡＦ可否情報などが含まれる。
【００７７】
ボディーマイコン１０は、垂直同期信号を定期的に生成する。また、ボディーマイコン１０は、これと並行して、垂直同期信号に基づいて、露光同期信号を生成する。これは、ボディーマイコン１０が垂直同期信号を基準にして、露光開始タイミングと露光終了タイミングとを予め把握しているために、露光同期信号を生成できるのである。ボディーマイコン１０は、垂直同期信号をタイミング発生器（図示せず）に出力し、露光同期信号をレンズマイコン４０に出力する。レンズマイコン４０は、露光同期信号に同期して、第２レンズ群Ｌ２の位置情報を取得する。
【００７８】
撮像センサ駆動制御部１２は、垂直同期信号に基づいて、撮像センサ１１の読み出し信号と電子シャッター駆動信号とを定期的に生成する。撮像センサ駆動制御部１２は、読み出し信号および電子シャッター駆動信号に基づいて、撮像センサ１１を駆動する。すなわち、撮像センサ１１は、読み出し信号に応じて、撮像センサ１１内に多数存在する光電変換素子（図示せず）で生成された画素データを垂直転送部（図示せず）に読み出す。
【００７９】
静止画撮影モードの場合には、ユーザーのレリーズボタン３０の半押し動作により、カメラシステム１のボディーマイコン１０は、交換レンズユニット２内のレンズマイコン４０より、レンズマウント７９およびボディーマウント４を介して、各種レンズデータを受け取り、内蔵するメモリ３８に保存する。また、ボディーマイコン１０は、レンズマイコン４０に対して、オートフォーカス開始コマンドを発信する。レリーズボタン３０が半押しされた場合、オートフォーカス開始コマンドは、コントラスト方式のオートフォーカス動作を開始する旨を示すコマンドである。このコマンドに基づいて、レンズマイコン４０は、第２レンズ群Ｌ２を光軸ＡＺに沿った方向に駆動制御する。ボディーマイコン１０は、受信した画像データに基づいて、オートフォーカス動作用の評価値（以下、「ＡＦ評価値」という）を算出する。具体的には、撮像センサ１１で生成された画像データから輝度信号を求め、輝度信号の画面内における高周波成分を積算して、ＡＦ評価値を求め、この算出したＡＦ評価値は、露光同期信号と関連付けた状態でＤＲＡＭ（図示せず）に保存される。そして、レンズマイコン４０から取得したレンズ位置情報も露光同期信号と関連付けられている。そのため、ボディーマイコン１０は、ＡＦ評価値をレンズ位置情報と関連付けて保存することができる。
【００８０】
次に、ボディーマイコン１０は、ＤＲＡＭに保存されたＡＦ評価値に基づいて、コントラストピークを求め、合焦点を抽出できたかどうかを監視する。具体的には、ＡＦ評価値が極大値となる第２レンズ群Ｌ２の位置を合焦点として抽出する。このレンズ駆動の方式としては、一般的には山登り方式が用いられる。
【００８１】
また、この状態では、カメラシステム１は、撮像センサ１１で生成した画像データが示す画像をスルー画像として表示部２０に表示する。このスルー画像が動画で表示部２０に表示されるので、ユーザーは、表示部２０を見ながら静止画を撮像するための構図を決めることができる。
【００８２】
この後、ボディーマイコン１０は、ユーザーによりレリーズボタン３０が全押しされると、レンズマイコン４０に対して、絞り値を不図示の測光センサからの出力に基づいて計算された絞り値にするよう指示する。そして、レンズマイコン４０は、絞り駆動制御部４２をコントロールし、指示された絞り値まで、絞りを絞り込む。撮像センサ駆動制御部１２は、撮像センサ１１の駆動を指示し、シャッターユニット３３の動作を指示する。なお、撮像センサ駆動制御部１２は、撮像センサ１１の出力より算出された所定のシャッタースピードの時間だけ、撮像センサ１１を露光する。
【００８３】
露光完了後、撮像センサ駆動制御部１２により撮像センサ１１から読み出された画像データは、所定の画像処理を実行された後、表示部２０に撮影画像として表示される。また、撮像センサ１１から読み出され、所定の画像処理を実行された画像データは、画像記録部１８を介して、記憶媒体に画像データとして書き込まれる。また、露光終了後、クイックリターンミラー２３は、光軸ＡＺ内から退避した状態に位置しているので、引き続き、ユーザーは、モニタ撮影モードにより、被写体を表示部２０上の撮影画像として見ることができる。
【００８４】
同様に、動画撮影モードの場合には、ユーザーのレリーズボタン３０の全押し動作により、動画記録を行うことが可能となる。また、いかなるモードであろうとも、動画撮影操作ボタン３５を押すことにより、動画記録を行うことが可能となる。さらには、交換レンズユニット２が動画撮影に対応している場合には、交換レンズユニット２をカメラ本体３に取り付けた際に、自動的に動画撮影モードへ移行するようにしてもよい。
【００８５】
また、モニタ撮影モードを解除する場合には、ユーザーが、ファインダ切換ボタン３４を操作して、ファインダ接眼窓９を覗いて撮影するファインダ撮影モードに移行させる。ファインダ撮影モードに移行された場合、クイックリターンミラー２３は、光軸ＡＺ内の所定位置に戻される。また、カメラシステム１本体の電源を切断する際にも、クイックリターンミラー２３は、光軸ＡＺ内の所定位置に戻される。
【００８６】
（２．５：ズーム操作レバー選択動作）
カメラ本体３において、交換レンズユニット２に搭載されたズーム操作レバー（Ａ）６４と、カメラ本体３に搭載されたズーム操作レバー（Ｂ）３９とのどちらを選択するかについて、カメラ本体３におけるボディーマイコン１０での処理を図６を用いて説明する。図６は、第１実施形態に係るカメラシステム１の交換レンズユニット２に搭載されたズーム操作レバー（Ａ）６４と、カメラ本体３に搭載されたズーム操作レバー（Ｂ）３９とのどちらを選択させるかという処理について具体的な動作フローを示すフローチャートである。
【００８７】
図６に示すように、ユーザーは、まず筐体３ａの背面に設けられたファインダ切換ボタン３４を操作して、ファインダ撮影モード（以下、「ＥＶＦモード」ともいう）として撮影する場合、あるいは、モニタ撮影モード（以下、「ＬＣＤモード」ともいう）として撮影する場合を選択する（ステップＳ１）。ＥＶＦモードが選択された場合には、ステップＳ２に処理を進める。一方、ＬＣＤモードが選択された場合には、ステップＳ４に処理を進める。
【００８８】
ＥＶＦモードが選択された場合には、交換レンズユニット２に搭載されたズーム操作レバー（Ａ）を有効にする（ステップＳ２）。次に、ズーム操作レバー（Ａ）が有効である旨を、例えば表示部２０に表示させて（ステップＳ３）、処理を終了する。ＬＣＤモードが選択された場合には、カメラ本体３に搭載されたズーム操作レバー（Ｂ）を有効にする（ステップＳ４）。次に、ズーム操作レバー（Ｂ）が有効である旨を、例えば表示部２０に表示させて（ステップＳ５）、処理を終了する。
【００８９】
以上のように、カメラ本体３は、交換レンズユニット２とカメラ本体３の双方にズーム操作レバーが取り付けられている場合に、撮影モードがＥＶＦモードかＬＣＤモードかによって交換レンズユニット２側のズーム操作レバー（Ａ）を選択するか、カメラ本体３側のズーム操作レバー（Ｂ）を選択するかについて判断処理を行う。
【００９０】
以上、説明したように本実施の形態では、ＥＶＦモードのようにファインダ接眼窓９にユーザーが接眼しながら撮影する条件では、交換レンズユニット２側に搭載されたズーム操作レバー（Ａ）を選択して、ズーム操作を行うように設定する。ＥＶＦモードでは、例えばカメラ本体３を右手で支え、左手で交換レンズユニット２を支える状態になるので、左手で交換レンズユニット２を支えながら安定した状態で交換レンズユニット２側のズーム操作レバー（Ａ）６４を操作してズーム操作を行うことが可能になる。一方、本実施の形態では、ＬＣＤモードのようにカメラ本体３から目を離して、表示部２０を見ながら撮影する条件では、カメラ本体側に搭載されたズーム操作レバー（Ｂ）を選択して、ズーム操作を行うように設定する。ＬＣＤモードではカメラ本体３から目を離して撮影する関係で、左右の手は交換レンズユニット２には掛からず、カメラ本体３を両手でホールドする状態になるので、右手でカメラ本体３を支えながら安定した状態でカメラ本体３側のズーム操作レバー（Ｂ）３９を操作してズーム操作を行うことが可能になる。
【００９１】
なお、上記説明では、筐体３ａの背面に設けられたファインダ切換ボタン３４をユーザーが操作して、ＥＶＦモードかＬＣＤモードかを選択するようにしているが、撮影モードの選択のやり方はこれに限定されるものではない。例えば、ファインダ接眼窓９の近傍にユーザーが接眼したか否かを検出する接眼検出部（図示せず）を備え、この接眼検出部からの情報に基づいて上記撮影モードを切り換えるようにしてもよい。こうすることにより、ユーザーが撮影モードを手動で選択する必要がないので、ＬＣＤモードで撮影していて急にＥＶＦモードに切り換えたい場合にも迅速な切換が可能となる。
【００９２】
（２．６：ズーム操作およびフォーカス操作）
次に、ユーザーがズーム操作およびフォーカス操作を行う際の交換レンズユニット２の動作を説明する。
【００９３】
図７に示すように、ユーザーによりズーム操作レバー（Ａ）６４が操作されるとズーム操作レバー（Ａ）検出部６５にてズーム操作レバー（Ａ）６４が望遠側（６４Ｔ）にズーム操作されたか広角側（６４Ｗ）にズーム操作されたかを検出される。レンズマイコン４０はこの検出結果に基づいて望遠側（６４Ｔ）にズーム操作された場合にはズームレンズ駆動制御部６１を介してズームレンズ群Ｌ１を望遠側に移動制御させ、広角側（６４Ｗ）にズーム操作された場合にはズームレンズ駆動制御部６１を介してズームレンズ群Ｌ１を広角側に移動制御させる。
【００９４】
ユーザーによりフォーカスリング６７が回転操作されると、第２回転角度検出部６８はフォーカスリング６７の回転角度を検出し、その回転角度に応じた信号を出力する。レンズマイコン４０は、フォーカスリング回転角度信号に基づいて、フォーカスレンズ群駆動制御部４１にフォーカスレンズ群Ｌ２を駆動する駆動信号を伝達する。フォーカスリング６７の回転方向が無限遠側に回転操作されたことを第２回転角度検出部６８が検出した場合には、レンズマイコン４０はこの検出結果に基づいてフォーカスレンズ群駆動制御部４１を介してフォーカスレンズ群Ｌ２を無限遠側に移動制御させる。フォーカスリング６７の回転方向が至近側に回転操作されたことを第２回転角度検出部６８が検出した場合には、レンズマイコン４０はこの検出結果に基づいてフォーカスレンズ群駆動制御部４１を介してフォーカスレンズ群Ｌ２を至近側に移動制御させる。
【００９５】
なお、ズーム操作のためのレンズ側操作部としては図８に示すようなフォーカスリング６７と同様な回転構造のズームリング６９でもよい。このズームリング６９の動作を図８および図９を用いて説明する。図９はズームリング６９をレンズ側操作部として搭載した交換レンズユニットを装着したカメラシステムの構成を示すブロック図である。この場合は、ズームリング６９の回転方向および回転角度はズームリング回転角度検出部７０で検出される。レンズマイコン４０はこの検出結果に基づいてズームレンズ駆動制御部６１を介してズームレンズ群Ｌ１を移動制御させる。図８に示すように、ユーザーによりズームリング６９が操作されるとズームリング回転角度検出部７０にてズームリング６９が望遠側に回転したか広角側に回転したかの回転方向と回転角度を検出して、レンズマイコン４０はこの検出結果に基づいて望遠側に回転した場合にはズームレンズ駆動制御部６１を介してズームレンズ群Ｌ１を望遠側に移動制御させ、広角側に回転した場合にはズームレンズ駆動制御部６１を介してズームレンズ群Ｌ１を広角側に移動制御させる。なお、図８、図９ともにその他の構成はそれぞれ図７、図１と同じであるので対応する構成には同じ符号を付して説明は省略する。
【００９６】
（２．７：フォーカシング動作）
次に、カメラシステム１のフォーカス動作について説明する。カメラシステム１は、オートフォーカス撮影モードと、マニュアル撮影モードとの２つのフォーカスモードを有する。
【００９７】
ユーザーは、交換レンズユニット２、あるいはカメラ本体３に設けられたオート撮影モード、マニュアル撮影モード設定ボタン（図示せず）により、所定の撮影モードを設定する。
【００９８】
オート撮影モード時においては、レリーズボタン３０の半押し動作、あるいは動画撮影操作ボタン３５の操作に応じて、レンズマイコン４０は、フォーカスレンズ群駆動制御部４１へ制御信号を送信し、フォーカスレンズ群Ｌ２を移動させる。ボディーマイコン１０は、デジタル信号処理部１５へ指令を送信する。デジタル信号処理部１５は、受信した指令に基づいて所定のタイミングで画像信号をボディーマイコン１０へ送信する。ボディーマイコン１０は、受信した画像信号と、予めズーム操作レバー（Ａ）検出部６５あるいはズームリング回転角度検出部７０から受信した焦点距離情報とに基づいて、撮像光学系Ｌが合焦状態になる第２レンズ群Ｌ２の光軸ＡＺに沿った方向の移動量を演算する。ボディーマイコン１０は、演算結果に基づいて制御信号を生成する。ボディーマイコン１０は、制御信号をフォーカスレンズ群駆動制御部４１へ送信する。
【００９９】
フォーカスレンズ群駆動制御部４１は、ボディーマイコン１０からの制御信号に基づいて、フォーカスレンズ群Ｌ２を自動でＺ軸方向に移動させる。
【０１００】
以上のようにして、カメラ本体３、あるいは交換レンズユニット２のオートフォーカス撮影モードによるフォーカシングが行われる。以上の動作は、ユーザーのレリーズボタン３０の半押し動作、あるいは動画撮影操作ボタン３５の操作実行後、瞬時に実行される。ユーザーがレリーズボタン３０を全押し動作する、あるいは動画撮影操作ボタン３５を操作すると、ボディーマイコン１０は、撮影処理を実行し、撮影が終了すると、画像記録制御部１９に制御信号を送信する。画像記録部１８は、画像記録制御部１９の指令に基づいて、画像信号を内部メモリおよび／またはリムーバブルメモリに記録する。画像記録部１８は、画像記録制御部１９の指令に基づいて、画像信号とともに撮影モードがオートフォーカス撮影モードである旨の情報を、内部メモリおよび／またはリムーバブルメモリに記録する。
【０１０１】
一方、マニュアルフォーカス撮影モード時には、レンズマイコン４０は、フォーカスレンズ群駆動制御部４１へ、フォーカスリングユニット６６の回転角度情報を要求する。レンズマイコン４０は、フォーカスリング６７の回転角度より検出した検出値に基づいて、第２レンズ群Ｌ２を移動するための制御信号を生成する。レンズマイコン４０は、生成した制御信号をフォーカスレンズ群駆動制御部４１へ送信する。
【０１０２】
フォーカスレンズ群駆動制御部４１は、フォーカスリング６７の回転角度および回転方向に応じて、レンズマイコン４０からの制御信号に基づいてフォーカスレンズ群Ｌ２をＺ軸方向に移動させる。
【０１０３】
以上のようにして、カメラシステム１のマニュアルフォーカスモードによるフォーカシングが行われる。マニュアルフォーカスモードにおいて、ユーザーがレリーズボタン３０を全押し操作する、あるいは動画撮影操作ボタン３５を操作すると、その状態のまま撮影が行われる。
【０１０４】
ボディーマイコン１０は、撮影が終了すると、画像記録制御部１９に制御信号を送信する。画像記録部１８は、画像記録制御部１９の指令に基づいて、画像信号を内部メモリおよび／またはリムーバブルメモリに記録する。画像記録部１８は、画像記録制御部１９の指令に基づいて、画像信号とともに撮影モードがマニュアルフォーカスモードである旨の情報を、内部メモリおよび／またはリムーバブルメモリに記録する。
【０１０５】
＜３：カメラシステムの特徴＞
以上に説明したように、このカメラシステム１では、電動ズーム機能を搭載し、ズーム操作レバーを有する交換レンズが、ズーム操作レバーを有するカメラ本体と接続された場合に、本体側ズーム操作部および上記レンズ側ズーム操作部のどちらか一方を光学ズームのズーム操作部材として機能させるので、交換レンズおよびカメラ本体のズーム操作レバーが競合してシステムを破綻させることなく、ズーム操作の利便性を向上させることができる。すなわち、カメラシステム１の利便性を高めることができる。
【０１０６】
さらにまた、ファインダに接眼して撮影を行う際にはレンズ側ズーム操作部を光学ズームのズーム操作部材として機能させ、ファインダに接眼しないで撮影を行う際には本体側ズーム操作部を光学ズームのズーム操作部材として機能させるので、カメラ本体のホールドのしやすさとズーム操作のしやすさを両立させることによりユーザーの撮影姿勢に適したズーム操作が可能となる。
【０１０７】
なお、本実施の形態では、ファインダに接眼して撮影を行う際にはレンズ側ズーム操作部を光学ズームのズーム操作部材として機能させ、ファインダに接眼しないで撮影を行う際には本体側ズーム操作部を光学ズームのズーム操作部材として機能させるとしたが、どちらか一方を動作させるように機能すればよい。
【０１０８】
〔第２実施形態〕
第１実施形態では、クイックリターンミラー２３が採用されている。しかし、コントラスト検出方式によりフォーカシングが可能である場合、クイックリターンミラー２３を省略することができる。図１０を用いて第２実施形態に係るカメラシステム１Ａについて説明する。図１０はカメラシステム１Ａの構成を示すブロック図である。図１に示す構成と実質的に同一の機能を有する構成については、同一符号を付すとともに、その説明は省略する。
【０１０９】
＜１：カメラシステムの全体構成＞
図１０において、カメラシステム１Ａは、交換レンズ式のデジタル一眼レフカメラのシステムであり、主に、カメラシステム１Ａの主要な機能を有するカメラ本体３Ａと、カメラ本体３Ａに取り外し可能に装着された交換レンズユニット２とから構成されている。交換レンズユニット２は、最後部に設けられたレンズマウント７９を介して、カメラ本体３Ａの前面に設けられたボディーマウント４に装着されている。
【０１１０】
図１０に示すカメラ本体３Ａは、図１に示すカメラ本体３に比べて、撮像部７１からの入射光をファインダ光学系２２および焦点検出ユニット５に導くクイックリターンミラー２３が省略されており、その代わりに、液晶ファインダなどの電子ファインダ部９５が設けられている。この電子ファインダ部９５には、表示部２０と同様に、画像表示制御部２１からの指令に基づいて、画像記録部１８あるいはバッファメモリ１６に記録された画像信号を可視画像として表示することができる。これにより、クイックリターンミラー２３が搭載されていなくても、撮像光学系Ｌにより形成された被写体の光学像を、ファインダ接眼窓９を通して観察することが可能となる。
【０１１１】
この場合、カメラ本体３Ａは、ファインダ光学系２２およびクイックリターンミラー２３を省略することにより、カメラ本体３Ａの光軸ＡＺ方向における薄型化を図ることができる。さらには、交換レンズユニット２の最後部にあるレンズから撮像センサ１１までの距離（レンズバック）を短くできるため、交換レンズユニット２の小型化を図ることが可能となる。
【０１１２】
また、交換レンズユニット２が動画撮影に対応している場合、図１０におけるカメラ本体３Ａにおいては、その焦点検出方式として、常に撮像センサ１１で生成された画像データに基づいたコントラスト方式を用いることができる。これにより、精度の良いフォーカス動作を実現することができる。さらには、クイックリターンミラー２３の開閉動作が不必要となるため、フォーカス動作の高速化、静音化などを図ることができ、静止画撮影のみならず、動画撮影にも容易に対応することが可能となる。
【０１１３】
また、交換レンズユニット２は、電動ズームに対応している。ズームレンズ駆動制御部６１によりズームレンズ群Ｌ１が移動制御される構成になっている。ズームレンズ群Ｌ１はステッピングモータ、ＤＣモータ、電磁リニアモータ、超音波モータなどで駆動される。ズームレンズ駆動制御部６１はこれらのアクチュエータとアクチュエータに電力を供給して速度あるいは位置制御を行う回路で構成される。交換レンズユニット２には、ズーム操作レバー（Ａ）６４と、ズーム操作レバー（Ａ）検出部を有している。ズーム操作レバー（Ａ）６４は先述したように、そのレバーを操作することにより撮影倍率を望遠側あるいは広角側に調整するレバーである。ズーム操作レバー（Ａ）６４が操作することにより、ズーム操作レバー（Ａ）検出部にて望遠側あるいは広角側に操作されたことを検出して、レンズマイコン４０にその操作情報を伝達する。レンズマイコン４０では、その操作情報が望遠側に操作されていると検出した場合には、ズームレンズ駆動制御部６１を介してズームレンズ群Ｌ１を望遠側に移動制御させる。一方、レンズマイコン４０で、その操作情報が広角側に操作されていると検出した場合には、ズームレンズ駆動制御部６１を介してズームレンズ群Ｌ１を広角側に移動制御させる。
【０１１４】
＜２：カメラシステムの特徴＞
以上に説明したように、このカメラシステム１Ａでもカメラシステム１と同様に、図６の動作フローに従ってファインダ撮影モードとモニタ撮影モードの選択処理を行うことが可能である。
【０１１５】
電動ズーム機能を搭載し、ズーム操作レバーを有する交換レンズが、ズーム操作レバーを有するカメラ本体と接続された場合には、本体側ズーム操作部および上記レンズ側ズーム操作部のどちらか一方を光学ズームのズーム操作部材として機能させることができる。したがって、ズーム操作レバーが競合してシステムを破綻させることなく、ズーム操作の利便性を向上させることができる。すなわち、カメラシステム１Ａの利便性を高めることができる。
【０１１６】
さらにまた、カメラシステム１と同様に、ファインダに接眼して撮影を行う際にはレンズ側ズーム操作部を光学ズームのズーム操作部材として機能させ、ファインダに接眼しないで撮影を行う際には本体側ズーム操作部を光学ズームのズーム操作部材として機能させることができる。したがって、カメラ本体のホールドのしやすさとズーム操作のしやすさを両立させることによりユーザーの撮影姿勢に適したズーム操作が可能となる。
【０１１７】
〔他の実施形態〕
（１）
本実施の形態においては、交換レンズユニット２の動画撮影可否の情報に基づき、表示部を用いて、動画撮影用の各種設定メニューを設定できるようにしてもよい。
【０１１８】
（２）
像ブレ補正ユニットが交換レンズユニット２およびカメラ本体３内のいずれか、あるいはその両方に設けられていてもよい。この場合、いずれかの像ブレ補正ユニットを選択できるようなカメラシステムであってもよい。
【０１１９】
（３）
本実施の形態では、シャッターを動作させることにより撮像センサへの露光時間を制御したが、これに限らず、電子シャッターなどにより撮像センサの露光時間を制御してもよい。
【０１２０】
（４）
本実施の形態では、レンズ情報に動画撮影に対応しているか否かの情報が含まれている。しかし、動画撮影に対応しているか否かは、フォーカスレンズ群の駆動方式あるいはフォーカスレンズ群駆動制御部４１などがコントラスト検出方式に対応しているか否かなどにより判断されてもよい。
【０１２１】
（５）
本実施の形態では、交換レンズユニット２は動画撮影に対応している。しかし、前述のように交換レンズユニットが動画撮影に対応していない場合もあり得る。
【産業上の利用可能性】
【０１２２】
本発明に係るカメラ本体およびそれを用いたカメラシステムは、動画撮影機能が要望されるデジタルスチルカメラやデジタルビデオカメラ、カメラ部を備えた携帯電話、ＰＤＡなどに好適である。
【図面の簡単な説明】
【０１２３】
【図１】本発明の第１実施形態に係るカメラシステムの構成を示すブロック図（交換レンズユニットがズーム操作レバーを搭載した場合）
【図２】同カメラ本体の構成を示すブロック図
【図３】同カメラ本体の概略構成図
【図４】同カメラシステムのファインダ撮影モードを説明する図
【図５】同カメラシステムのモニタ撮影モードを説明する図
【図６】同カメラシステムの交換レンズユニットのファインダ撮影モードとモニタ撮影モードを選択するフローチャート
【図７】同カメラシステムの概略斜視図（交換レンズユニットがズーム操作レバーを搭載した場合）
【図８】同カメラシステムの概略斜視図（交換レンズユニットがズームリングを搭載した場合）
【図９】同カメラシステムの構成を示すブロック図（交換レンズユニットがズームリングを搭載した場合）
【図１０】本発明の第２実施形態に係るカメラシステムの構成を示すブロック図
【符号の説明】
【０１２４】
１    カメラシステム
２    交換レンズユニット（レンズ鏡筒）
３    カメラ本体
３ａ    筐体
４    ボディーマウント
１０    ボディーマイコン（制御部）
１１    撮像センサ
１２    撮像センサ駆動制御部
２０    表示部
２１    画像表示制御部
２３    クイックリターンミラー
２５    電源スイッチ
２６    モード切換ダイアル
２７    十字操作キー
２８    ＭＥＮＵ設定ボタン
２９    ＳＥＴボタン
３０    レリーズボタン
３１    シャッター制御部
３３    シャッターユニット
３４    ファインダ切換ボタン（撮影モード選択部）
３５    動画撮影操作ボタン
３９    ズーム操作レバー（Ｂ）（本体側ズーム操作部）
４０    レンズマイコン
４１    フォーカスレンズ群駆動制御部
６１    ズームレンズ駆動制御部
６４    ズーム操作レバー（Ａ）（レンズ側ズーム操作部）
６５    ズーム操作レバー（Ａ）検出部
６９    ズームリング
７１    撮像部
７２    画像表示部
７９    レンズマウント
９５    電子ファインダ部
Ｌ    撮像光学系
Ｌ１    第１レンズ群（ズームレンズ群）
Ｌ２    第２レンズ群（フォーカスレンズ群）
【図１】
0005433145.tif 000002
【図２】
0005433145.tif 000003
【図３】
0005433145.tif 000004
【図４】
0005433145.tif 000005
【図５】
0005433145.tif 000006
【図６】
0005433145.tif 000007
【図７】
0005433145.tif 000008
【図８】
0005433145.tif 000009
【図９】
0005433145.tif 000010
【図１０】
0005433145.tif 000011